(57)【要約】【課題】吸収性物品と着用者の肌との擦れを低減することができる吸収性物品に関する。【解決手段】本発明の一形態に係る吸収性物品は、本体と、一対のウイング部とを具備する。上記本体は、前後方向と幅方向を有し、前後方向の両端部側に位置する前方コア部及び後方コア部と、上記前方コア部及び上記後方コア部の間に位置し、着用者の排泄部に対向する中間コア部を有する吸収性コアと、複数のシート材と、を含む。上記一対のウイング部は、上記中間コア部の幅方向外側に配置され、上記本体を挟んで幅方向に相互に対向する。上記中間コア部は、上記前方コア部及び上記後方コア部よりも幅方向が狭く、上記吸収性コアの前後方向中間部に位置する一対の括れ領域の間に形成される。上記本体は、前後方向で上記中間コア部を含む領域において、上記本体の幅方向両側縁部から上記中間コア部の幅方向両側縁部に向かって、上記シート材の積層数が、少なくとも３段階で増加する。【選択図】図２
2020036736.tif 000002
【特許請求の範囲】
【請求項１】
前後方向と幅方向を有し、前後方向の両端部側に位置する前方コア部及び後方コア部と、前記前方コア部及び前記後方コア部の間に位置し、着用者の排泄部に対向する中間コア部とを有する吸収性コアと、複数のシート材と、を含む本体と、
前記中間コア部の幅方向外側に配置され、前記本体を挟んで幅方向に相互に対向する一対のウイング部と
を具備する吸収性物品であって、
前記中間コア部は、前記前方コア部及び前記後方コア部よりも幅方向が狭く、前記吸収性コアの前後方向中間部に位置する一対の括れ領域の間に形成され、
前記本体は、前後方向で前記中間コア部を含む領域において、前記本体の幅方向両側縁部から前記中間コア部の幅方向両側縁部に向かって、前記シート材の積層数が、少なくとも３段階で増加する
吸収性物品。
【請求項２】
前記本体は、前後方向で前記中間コア部を含む領域において、前記本体の幅方向両側縁部から前記中間コア部の幅方向両側縁部に向かって順に前記シートの積層数が異なる第１の領域と、第２の領域と、第３の領域と、を有し、
前記第３の領域は前記第２の領域よりも少なくとも前記シート材が２枚以上多い
請求項１に記載の吸収性物品。
【請求項３】
前記複数のシート材は、前記吸収性コアの表裏を被覆するコアラップシートと、前記コアラップシートと前記吸収性コアからなる吸収体の一方の面を覆う表面シートと、前記吸収体の他方の面を覆う裏面シートと、前記表面シートを挟んで幅方向に対向配置される一対のサイドシートを含み、
前記コアラップシートは、前記一対の括れ領域を被覆する一対の括れ被覆部を有し、
前記一対のサイドシートそれぞれは、１層構造の領域と、前記サイドシートが折り返されてなる２層構造の領域とを有し、
前記第１の領域には、前記裏面シートと、前記サイドシートの前記１層構造の領域が配置され、
前記第２の領域には、前記裏面シートと、前記サイドシートの前記２層構造の領域が配置され、
前記第３の領域には、前記裏面シートと、前記コアラップシートの前記括れ被覆部と、前記表面シートと、前記サイドシートの前記２層構造の領域が配置される
請求項２に記載の吸収性物品。
【請求項４】
前記サイドシートは、前後方向に延在し、平面視したときに幅方向内側の側方部が前記吸収性コアと重なり、
前記サイドシートと前記後方コア部との幅方向における重なり幅は、前記サイドシートと前記中間コア部との重なり幅よりも広い
請求項３に記載の吸収性物品。
【請求項５】
前記第１の領域及び前記第２の領域では、前記一対のサイドシートと前記裏面シートとが固定され、
前記サイドシートの幅方向内側の側方部と前記表面シートとは固定され、
前記第３の領域は、前記サイドシートと前記表面シートとが固定されない非固定領域を有する
請求項３又は請求項４に記載の吸収性物品。
【請求項６】
前記サイドシートの幅方向内側の側縁部は前記表面シートに固定されない
請求項５に記載の吸収性物品。
【請求項７】
前記第３の領域は、前記第１の領域及び前記第２の領域よりも幅方向における寸法が大きい
請求項２から請求項６のうちいずれか1項に記載の吸収性物品。
【請求項８】
前記中間コア部の前後方向の両端部はそれぞれ、前記前方コア部、前記後方コア部それぞれに向けて幅が漸増する形状を有する
請求項１から請求項７のうちいずれか１項に記載の吸収性物品。
【発明の詳細な説明】
【技術分野】
【０００１】
本発明は、生理用ナプキン等の吸収性物品に関する。
【背景技術】
【０００２】
生理用ナプキン等のように、下着の内側に配して使用するタイプの吸収性物品は、経血等の液状物を吸収するための吸収性コアを備えている。例えば特許文献１には、着用者の排泄口と対向する中央域と、着用者の臀部と対向する後側域と、中央域と後側域の間に位置する中間域に配置される吸収コアが開示されている。この吸収コアは、中間域に、吸収コアの幅方向両側縁から幅方向内側にそれぞれ延びる低目付領域を有する。これにより、中央域における吸収体の変形が後側域における吸収体の変形に与える影響を抑制する。
【先行技術文献】
【特許文献】
【０００３】
【特許文献１】特開２０１７−１３６１１１号公報
【発明の概要】
【発明が解決しようとする課題】
【０００４】
生理用ナプキン等の吸収性物品は、典型的には、人の股間幅よりも広い幅を有する。このため、着用時に、鼠蹊部に吸収性物品が擦れることによる不快感を着用者に与える場合があり、吸収性物品と肌の擦れを低減する技術が望まれている。
【０００５】
本発明の課題は、吸収性物品と着用者の肌との擦れを低減することができる吸収性物品に関する。
【課題を解決するための手段】
【０００６】
本発明の一形態に係る吸収性物品は、本体と、一対のウイング部とを具備する。
上記本体は、前後方向と幅方向を有し、前後方向の両端部側に位置する前方コア部及び後方コア部と、上記前方コア部及び上記後方コア部の間に位置し、着用者の排泄部に対向する中間コア部を有する吸収性コアと、複数のシート材と、を含む。
上記一対のウイング部は、上記中間コア部の幅方向外側に配置され、上記本体を挟んで幅方向に相互に対向する。
上記中間コア部は、上記前方コア部及び上記後方コア部よりも幅方向が狭く、上記吸収性コアの前後方向中間部に位置する一対の括れ領域の間に形成される。
上記本体は、前後方向で上記中間コア部を含む領域において、上記本体の幅方向両側縁部から上記中間コア部の幅方向両側縁部に向かって、上記シート材の積層数が、少なくとも３段階で増加する。
【発明の効果】
【０００７】
以上のように、本発明の吸収性物品によれば、ナプキンと肌の擦れを低減することができる。
【図面の簡単な説明】
【０００８】
【図１】本発明の一実施形態に係る吸収性物品の平面図である。
【図２】図１の吸収性物品のII−II線で切断した模式断面図であり、圧搾溝の図示は省略している。
【図３】図１の吸収性物品の一部を構成する吸収体の単体状態における概略平面図である。
【図４】図３の吸収体の一部を構成する吸収性コアを示す平面図である。
【図５】図１の吸収性物品の概略平面図であって、吸収性コアとサイドシートとの位置関係を説明するための図である。
【図６】吸収性物品における吸収体の他の配置例を説明するための吸収体の断面図である。
【発明を実施するための形態】
【０００９】
以下、図を用いて本実施形態に係る吸収性物品について説明する。各図において、Ｘ軸方向が吸収性物品１の前後方向、Ｙ軸方向が幅方向、Ｚ軸方向が上下方向（厚み方向）にそれぞれ対応する。Ｘ軸、Ｙ軸及びＺ軸は互いに直交する。また、図２では、構成の位置関係をわかりやすくするために、各構成で厚み方向、幅方向の縮尺を異ならせて図示している。
【００１０】
［ナプキンの全体構成］
本実施形態の吸収性物品１は、生理用ナプキンとして構成され、以下、ナプキン１と称する。
図１に示すように、ナプキン１は、本体Ｍと、一対のウイング部Ｗと、一対の後方フラップ部Ｆと、を備える。
本体Ｍは、前後方向に延び、着用時に着用者の下着の内面（被着用面）に固定される。本体Ｍは、後述する吸収体１１と、後述する複数のシート材とを有し、着用者の経血等の液状物（以下、「液」とも称する）を吸収する機能を有する。
本体Ｍは、前後方向に沿って区分された、前方領域Ｍ１と、中間領域Ｍ２と、後方領域Ｍ３とを有する。
前方領域Ｍ１は、中間領域Ｍ２の前方（着用者の腹側）に配置される領域であり、着用時に着用者の排泄部の前方に対向するように構成される。
中間領域Ｍ２は、着用時に着用者の排泄部に対向するように構成される。なお、中間領域Ｍ２は、図示のように本体Ｍの前方寄りに位置してもよいし、本体Ｍの中央部に位置してもよい。
後方領域Ｍ３は、中間領域Ｍ２の後方（着用者の背側）に配置される領域であり、着用時に着用者の排泄部の後方に対向するように構成される。
【００１１】
一対のウイング部Ｗは、中間領域Ｍ２から幅方向外側に配置され、本体Ｍを挟んで幅方向に相互に対向する。ウイング部Ｗは、本体Ｍから幅方向の外側に大きく突出するように構成される。ウイング部Ｗは、後述する吸収性コア２０の中間コア部２２の幅方向外側に配置される。
ウイング部Ｗの本体Ｍとの境界部を基部Ｗａとする。基部Ｗａは本体Ｍの幅方向側縁部５０の一部である。ウイング部Ｗは、着用時に下着を挟んで本体Ｍと対向するように基部Ｗａ付近から折り曲げられ、着用者の下着の外面に固定される。ウイング部Ｗは、着用中におけるナプキン１の位置ずれを防止する。
【００１２】
後方フラップ部Ｆは、後方領域Ｍ３から幅方向の外方に膨出するように構成され、着用時に着用者の下着の内面の臀部に面する領域に配される。これにより、後方フラップ部Ｆは、後方領域Ｍ３の変位を防止し、後方領域Ｍ３による後ろ漏れ防止機能をサポートすることができる。なお、ナプキン１は、後方フラップ部Ｆを有さない構成でもよい。
【００１３】
［ナプキンの各部の構成］
図１及び図２に示すように、ナプキン１は、吸収性コア２０と、複数のシート材と、圧搾溝部１６と、を有する。
複数のシート材は、吸収性コア２０の表裏を被覆するコアラップシート３０と、コアラップシート３０と吸収性コア２０からなる吸収体１１の一方の面１１ａを覆う表面シート１２と、吸収体１１の他方の面１１ｂを覆う裏面シート１３と、表面シート１２を挟んで幅方向に対向配置される一対のサイドシート１４を含む。
ナプキン１は、本体Ｍにおいて、裏面シート１３、吸収体１１及び表面シート１２が積層された構成を有する。更に、本体Ｍの幅方向両側には、本体Ｍを介して幅方向に沿って対向して一対のサイトシート１４が配される。表面シート１２とサイドシート１４とは平面視したときに互いに部分的に重なり合って配置される。ナプキン１は、着用時に表面シート１２の肌対向面１２ａが着用者の肌に接するように構成される。
ウイング部Ｗは、サイドシート１４と裏面シート１３が積層された構成を有する。
後方フラップ部Ｆは、ウイング部Ｗと同様に、サイドシート１４と裏面シート１３が積層されて構成される。
ウイング部Ｗ及び後方フラップ部Ｆに配されるサイドシート１４は、本体Ｍに配されるサイドシート１４と継ぎ目なく連なって構成される。同様に、ウイング部Ｗ及び後方フラップ部Ｆに配される裏面シート１３は、本体Ｍに配される裏面シート１３と継ぎ目なく連なって構成される。裏面シート１３は、着用時に着用者の下着側に接するように構成される。
【００１４】
（吸収体の構成）
吸収体１１は、Ｘ軸方向に前後方向を有し、ナプキン１の厚み方向中央部に配置される。吸収体１１は、液を表面シート１２側の面から吸収し、内部で拡散させて当該液を保持する。吸収体１１は、吸収性コア２０と、コアラップシート３０と、を有する。
吸収性コア２０は、液を吸収及び保持する機能を有する。吸収性コア２０は、例えば、パルプ繊維等の親水性繊維で構成された繊維集合体で形成されてもよいし、当該繊維集合体に吸水性ポリマーを保持させた構成を有していてもよい。
コアラップシート３０は、吸収性コア２０を被覆し、例えば吸収性コア２０の形状を保持する機能等を有する。
図２及び図３に示すように、コアラップシート３０は、吸収性コア２０の表裏を被覆するように、吸収性コア２０の幅方向に巻き付けられる。コアラップシート３０のＸ軸方向に沿った長さは、吸収性コア２０の前後方向の長さ（全長）と同等に形成されるが、これに限られず、吸収性コア２０の全長よりも長くてもよいし短くてもよい。
【００１５】
（吸収性コア）
図５に示すように、吸収性コア２０は、前方領域Ｍ１に位置する前方コア部２１と、中間領域Ｍ２に位置する中間コア部２２と、後方領域Ｍ３に位置する後方コア部２３とを有する。前方コア部２１及び後方コア部２３は、吸収性コア２０の前後方向の両端部側に位置し、中間コア部２２は、前方コア部２１と後方コア部２３との間に位置する。中間コア部２２は、前方領域Ｍ１の後方側から中間領域Ｍ２を介して後方領域Ｍ３の前方側まで及んでいる。吸収性コア２０は、幅方向において左右対称な平面形状を有する。
【００１６】
図４には、前方コア部２１、中間コア部２２、及び後方コア部２３の幅方向の寸法である幅Ｄ１，Ｄ２，Ｄ３が示されている。中間コア部２２の幅Ｄ２は、前方コア部２１の幅Ｄ１及び後方コア部２３の幅Ｄ３の双方よりも小さい。つまり、吸収性コア２０は、前後方向中間部に、一対の括れ領域２２ｓの間に形成された、前方コア部２１及び後方コア部２３よりも幅狭の中間コア部２２を有する。
【００１７】
本実施形態では、前方コア部２１の幅Ｄ１と後方コア部２３の幅Ｄ３とが同一である。しかし、前方コア部２１の幅Ｄ１と後方コア部２３の幅Ｄ３とが異なっていてもよい。また、前方コア部２１、中間コア部２２及び後方コア部２３の幅は、それぞれ前後方向に沿って均一な領域がなくてもよく、吸収性コア２０の両側縁部が曲線状であってもよい。この場合、前方コア部２１及び後方コア部２３各々の幅方向の最大寸法をそれぞれ幅Ｄ１及びＤ３とし、中間コア部２２の幅方向の最小寸法をＤ２とすることができる。
【００１８】
前方コア部２１及び後方コア部２３の幅Ｄ１，Ｄ３は、生理用ナプキンの場合、好ましくは６０ｍｍ以上、更に好ましくは７０ｍｍ以上であり、そして、好ましくは１００ｍｍ以下、更に好ましくは９０ｍｍ以下である。
中間コア部２２の幅Ｄ２は、典型的には一般的な着用者の股間幅（約３０ｍｍ）よりも大きく形成され、好ましくは３５ｍｍ以上、更に好ましくは４０ｍｍ以上であり、そして、好ましくは７５ｍｍ以下、更に好ましくは７０ｍｍ以下である。これにより、着用者の脚等により付加される幅方向内方へ向かう外力の影響を受けにくくなるとともに、幅方向の着用位置ずれにも対応可能となり、着用者に対して安心感を与えることができる。
中間コア部２２の前後方向の長さは、例えば、６０ｍｍ以上、好ましくは８０ｍｍ以上であり、そして、例えば１８０ｍｍ以下、好ましくは１７０ｍｍ以下である。これにより、前後方向の着用位置ずれ等があった場合にも、中間コア部２２を着用者の排泄部に対向させることができる。
【００１９】
中間コア部２２は、ナプキン１の着用時に着用者の排泄部である膣口に対向配置される排泄部対向部である。前方コア部２１は中間コア部２２よりも着用者の前側（腹側）寄りに配され、後方コア部２３は中間コア部２２よりも着用者の後側（背中側）寄りに配される。
【００２０】
図４に示すように、中間コア部２２は、前後方向の両端部それぞれにテーパ部２２ａ、２２ｂを有する。テーパ部２２ａ（２２ｂ）は、中間コア部２２の幅を前方コア部２１（後方コア部２３）に向けて漸増させる。中間コア部２２の両側縁部５１において、テーパ部２２ａ及び２２ｂを除く領域は、幅が均一である。括れ領域２２ｓは、中間コア部２２の幅が均一な領域の両側縁部５１と、テーパ部２２ａ、２２ｂとの間に形成された空間部に相当する。
【００２１】
吸収性コア２０の肌対向面２０ａ側には複数の溝部が設けられている。
具体的には、前方コア部２１、中間コア部２２及び後方コア部２３には、縦溝部２７及び横溝部２８が設けられ、そのうえ中間コア部２２には周縁溝部２９が設けられている。
吸収性コア２０は、相対的に坪量が低い低坪量の縦溝部２７、横溝部２８、周縁溝部２９によりブロック状に複数分割されている。これら溝部は、ブロック状に分割されてなるブロック部に対して、厚み方向の上面（着用者の肌側に位置する面）から下方に向かって沈み込むように構成される。一方、ブロック部は、厚み方向上方に突出するように構成される。
【００２２】
吸収性コア２０において、溝部が形成されている領域、すなわち溝部を形成する底部は、溝部が形成されていないブロック部の領域と比較して、相対的に厚みが薄くなっている。溝部を形成する底部は、ブロック部と比較して、相対的に坪量が低くなっており、溝部の底部は、ブロック部と比較して剛性が低くなる。したがって、吸収性コア２０に対して外力が加わったとき、溝部を変形起点として吸収性コア２０は変形しやすくなっている。
以下の説明において、前方コア部２１、中間コア部２２及び後方コア部２３の坪量は、各溝部２７，２８，２９を除くブロック部分の坪量をいうものとする。
【００２３】
縦溝部２７は、前後方向に沿って延び、幅方向に沿って間隔をあけて複数配列されている。縦溝部２７は、前方コア部２１、中間コア部２２及び後方コア部２３のそれぞれを幅方向に分割するように、前後方向の全長にわたって形成されている。
横溝部２８は、幅方向に沿って延び、前後方向に沿って間隔をあけて配列されている。横溝部２８は、前方コア部２１、中間コア部２２及び後方コア部２３のそれぞれを前後方向に分割するように、幅方向の全長にわたって形成されている。
周縁溝部２９は、後述する高坪量部２４の前後方向外縁に沿って形成されている。
なお、縦溝部２７、横溝部２８及び周縁溝部２９の形状や配置などの構成は、図４に記載された構成に限定されず、吸収性コア２０の形状や要求される機能等に基づいて適宜設定される。
【００２４】
図２及び図４に示すように、中間コア部２２は、吸収部材の坪量が高い高坪量部２４と、高坪量部２４よりも低い坪量を有する低坪量部２５を有する。高坪量部２４は、前方コア部２１及び後方コア部２３よりも坪量が高い。
高坪量部２４は中間コア部２２の幅方向中央部に位置し、前後方向に延在して設けられる。低坪量部２５は、高坪量部２４を間に介して幅方向に沿って対向して左右に分かれて一対位置する。高坪量部２４は、低坪量部２５、前方コア部２１及び後方コア部２３に対して、上方に向かって突出するように構成される。
中間コア部２２において、幅方向中央に位置する縦溝部２７を対称軸として左右対称に、高坪量部２４、周縁溝部２９、低坪量部２５は配置される。
高坪量部２４は、ナプキン１の着用時に着用者の排泄部に対向するように配置される。高坪量部２４を設けることにより、ナプキン１の中間領域Ｍ２の中央部と着用者の排泄部との間の良好なフィット性が確保される。
図４では、高坪量部２４をドットパターンで示している。
【００２５】
前方コア部２１、後方コア部２３及び低坪量部２５の坪量は、好ましくは９０ｇ／ｍ２以上、更に好ましくは１００ｇ／ｍ２以上であり、そして、好ましくは３５０ｇ／ｍ２以下、更に好ましくは３００ｇ／ｍ２以下である。
高坪量部２４の坪量は、好ましくは２５０ｇ／ｍ２以上、更に好ましくは３００ｇ／ｍ２以上であり、そして、好ましくは７００ｇ／ｍ２以下、更に好ましくは６５０ｇ／ｍ２以下である。
周縁溝部２９、縦溝部２７及び横溝部２８の坪量は、ブロック部の坪量よりも低く、０ｇ／ｍ２以上であって、好ましくは２５ｇ／ｍ２以上であり、そして、好ましくは３００ｇ／ｍ２以下、更に好ましくは１５０ｇ／ｍ２以下である。
前方コア部２１、後方コア部２３及び低坪量部２５の厚みは、好ましくは２ｍｍ以上であり、更に好ましくは２．５ｍｍ以上であり、そして、好ましくは７ｍｍ以下であり、更に好ましくは６ｍｍ以下である。高坪量部２４の厚みは、好ましくは２ｍｍ以上であり、更に好ましくは２．５ｍｍ以上であり、そして、好ましくは９ｍｍ以下であり、更に好ましくは８ｍｍ以下である。
【００２６】
（コアラップシート）
コアラップシート３０は、図３に示すように、吸収性コア２０の各部を被覆するコア被覆部（３１〜３３）と、吸収性コア２０の一対の括れ領域２２ｓを被覆する一対の括れ被覆部３４とを有する。
コア被覆部は、前方コア部２１を被覆する前方コア被覆部３１と、中間コア部２２を被覆する中間コア被覆部３２と、後方コア部２３を被覆する後方コア被覆部３３とを含む。図３には、各々のコア被覆部３１〜３３と括れ被覆部３４との境界が一点鎖線で示される。図３に示すように、括れ被覆部３４の外縁線Ｌ１は、コアラップシート３０の縁部に相当する。
【００２７】
コアラップシート３０は、吸収性コア２０よりも剛性が十分に低いシート材で構成されているため、吸収性コア２０の形状に対応する形状で吸収性コア２０を被覆する。例えば、中間コア被覆部３２は、図２に示すように、中間コア部２２の表面２０ａの突出部（高坪量部２４）の形状に対応する形状に変形する。
【００２８】
一方、括れ被覆部３４は、前方コア部２１及び後方コア部２３の間に架け渡されることで、中間コア部２２の両側縁部５１から括れ領域２２ｓに延出している。括れ被覆部３４の内部には、図２に示すように吸収性コア２０を構成する吸収部材は存在しないが、吸収性コア２０の周縁から外方へ突出した繊維や、吸収性コア２０から分離した吸収部材の一部が部分的に存在してもよい。
括れ被覆部３４は、コアラップシート３０が２層積層されて構成される。括れ被覆部３４は、括れ領域２２ｓを厚み方向から挟み込む表側領域３４１及び裏側領域３４２を有する。
本実施形態において、表側領域３４１及び裏側領域３４２は、一対の括れ被覆部３４の幅方向の周縁部（外縁）において相互に連続して形成される。つまり、表側領域３４１及び裏側領域３４２は、括れ領域２２で折り返された共通のシート材で構成される。
【００２９】
コアラップシート３０は、例えばティッシュペーパーのような薄く柔らかい紙や液透過性の不織布等で形成される。コアラップシート３０は、１枚のシート材で構成されてもよいし、複数のシート材で構成されてもよい。
【００３０】
（表面シート）
図２に示すように、表面シート１２は、液透過性のシート材として構成され、吸収体１１上に配置される。表面シート１２は、本体Ｍにおいてナプキン１の厚み方向上方の外面を構成する。
表面シート１２は、前後方向に沿って幅が均一な形状を有する。表面シート１２の幅は、吸収体１１の幅と略同一であり、表面シート１２の前後方向における全長は、ナプキン１の全長とほぼ一致する。
表面シート１２としては、この種の吸収性物品に従来用いられている各種のものを特に制限なく用いることができる。例えば、表面シート１２としては、液透過性を有する単層又は多層構造の不織布や、穿孔フィルムを用いることができる。
【００３１】
（裏面シート）
図２に示すように、裏面シート１３は、吸収体１１を挟んで表面シート１２と厚み方向に対向して配置される。裏面シート１３は、ナプキン１の厚み方向下方の外面を構成する。裏面シート１３は、例えば周縁部において、表面シート１２及びサイドシート１４と接着剤、熱シール等によって接合される。本実施形態では、接着剤からなる接着層により接合される例をあげる。接着層については後述する。
裏面シート１３としては、この種の吸収性物品に従来用いられている各種のものを特に制限なく用いることができる。裏面シート１３として、液防漏性のシート材を用いることができる。例えば、液不透過性又は撥水性の樹脂フィルムや、樹脂フィルムと不織布等との積層体等を用いることができる。また、スパンボンド−メルトブローン−スパンボンド積層不織布等の耐水圧が高い撥水性の不織布を用いることができ、単層構造又は多層構造のものを用いることができる。
【００３２】
（サイドシート）
図２及び図５に示すように、一対のサイドシート１４は、表面シート１２を挟んで幅方向に相互に対向し、ナプキン１の幅方向周縁に配置される。一対のサイドシート１４は、前後方向に沿って延在する。
図２及び図５に示すように、一対のサイドシート１４それぞれは、幅方向内側の側方部１７で、内側に折り返された折り返し部１５を有する。図５に示すように、折り返し部１５は、前後方向に沿ってナプキン１の前後方向全長に亘って設けられる。折り返し部１５は、一対のサイドシート１４それぞれの幅方向内側の側縁部に相当する。
一対のサイドシート１４それぞれの幅方向内側の側方部１７は、平面視したときに、表面シート１２の幅方向両側方部それぞれと重なり合うように配置される。
【００３３】
図２に示すように、一対のサイドシート１４それぞれは、１層構造の領域７１と、２層構造の領域７２と、を有する。１層構造の領域７１は、サイドシート１枚からなる領域である。２層構造の領域７２は、サイドシート１４における折り返し部１５で幅方向内側に折り返された折り返し領域であり、サイドシート２枚からなる領域である。
【００３４】
平面視したときにサイドシート１４の２層構造の領域７２が位置し、かつ、表面シート１２が位置する領域で、前後方向に延在する第３の接着層４３により、サイドシート１４の幅方向内側の側方部１７と表面シート１２とは接着固定される。一対のサイドシート１４それぞれの折り返し部１５である幅方向内側の側縁部は、表面シート１２に固定されない自由端１９となっている。
平面視したときにサイドシート１４の２層構造の領域７２が位置し、かつ、表面シート１２が位置しない領域で、前後方向に延在する第２の接着層４２により、サイドシート１４と表面シート１２とは接着固定される。
一対のサイドシート１４の幅方向外側の側方部５２は１層構造の領域７１である。側方部５２は、第１の接着層４１により裏面シート１３と接着固定され、裏面シート１３とともにウイング部Ｗ及びフラップ部Ｆを構成する。
【００３５】
本実施形態のナプキン１は、サイドシート１４が折り返されてなる２層構造の領域７２と１層構造の領域７１とを有することにより、本体Ｍの前後方向で中間コア部２２を含む領域において、本体Ｍの幅方向両側縁部５０から中間コア部２２の幅方向両側縁部５１に向かって、シート材の積層数が３段階で増加するように構成される。シート材の積層構造の詳細については後述する。
【００３６】
図５に示すように、一対のサイドシート１４それぞれの幅方向内側の側方部１７は、吸収性コア２０の幅方向両側方部それぞれと重なり合うように配置される。平面視したときのサイドシート１４と吸収性コア２０との幅方向における重なり幅は、中間コア部２２よりも後方コア部２３の方が大きくなっている。
本実施形態においては、中間コア部２２の両側方部とサイドシート１４の幅方向内側の側方部１７とが０より大きい重なり幅で重なっているが、中間コア部２２の両側縁部５１と一対のサイドシート１４の幅方向内側の側縁部（折り返し部１５に相当）とが平面視したときに重なり、重なり幅が０であってもよい。典型的には、中間コア部２２の両側縁部５１と一対のサイドシート１４の幅方向内側の側縁部（折り返し部１５に相当）とが平面視したときに重なりあうように構成される。
【００３７】
サイドシート１４としては、この種の吸収性物品に従来用いられている各種のものを特に制限なく用いることができる。サイドシート１４として、液防漏性のシート材を用いることができる。例えば、樹脂フィルム、樹脂フィルムと不織布との積層材（層間を貼り合わせたものや溶融してラミネートしたもの等）、スパンボンド不織布、メルトブローン不織布、スパンボンド−メルトブローン−スパンボンド積層不織布等の疎水性の不織布、樹脂フィルムと疎水性の不織布との積層材等を用いることができ、積層構造でも、単層構造でもよい。
サイドシート１４には、柔軟性の高いシート材を用いることが好ましい。例えば、特開２００２−１４６６６３号公報記載の柔軟性不織布や、特開２０１１−５８１５７号公報記載のスパンボンド不織布等を用いることができる。
【００３８】
（接着層）
上述の第１の接着層４１、第２の接着層４２及び第３の接着層４３は互いに離間して配置される。第１の接着層４１と第２の接着層４２とは基部Ｗａを間に介して幅方向に沿って対向して配置される。
第１の接着層４１、第２の接着層４２及び第３の接着層４３には、ホットメルト型の接着剤を用いることが出来る。ホットメルト型の接着材としては、スチレン−ブタジエン共重合体やスチレンイソプレン共重合体をベースとし、粘着付与剤等を配合したもの等が挙げられる。
【００３９】
（シート材の積層構造）
本体Ｍは、前後方向で中間コア部２２を含む領域において、本体Ｍの幅方向両側縁部５０から中間コア部２２の幅方向両側縁部５１に向かって、シート材の積層数が少なくとも３段階で増加する。
具体的には、図２及び図５に示すように、本体Ｍは、前後方向で中間コア部２２を含む領域において、幅方向外向から幅方向中央に向かって順に並ぶ、互いにシート材の積層数が異なる第１の領域６１と、第２の領域６２と、第３の領域６３とを有する。
【００４０】
図２に示すように、第１の領域６１は、幅方向両側縁部５０から幅方向中央に向かってシート材の積層数が変化しない領域である。第１の領域６１には、裏面シート１３と、サイドシート１４の１層構造の、合計２層構造の領域７１が配置される。
【００４１】
第２の領域６２は、第１の領域６１よりもシート材の積層数が多く、第１の領域６１と第２の領域６２の境界から幅方向中央に向かってシート材の積層数が変化しない領域である。第２の領域６２には、裏面シート１３と、サイドシート１４の２層構造の、合計３層構造の領域７２が配置される。
【００４２】
第３の領域６３は、第２の領域６２よりもシート材の積層数が多く、第２の領域６２と第３の領域６３の境界から吸収性コア２０の中間コア部２２の幅方向側縁部５１までのシート材の積層数が変化しない領域である。第３の領域６３は、括れ被覆部３４が配置される領域と一致する。第３の領域６３には、裏面シート１３と、コアラップシート３０が折り重なった２層構造の括れ被覆部３４と、表面シート１２と、サイドシート１４の２層構造の、合計６層構造の領域７２が配置される。
【００４３】
本実施形態において、いずれのシート材も単層構造を有する場合、第１の領域６１には２枚のシート材が積層され、第２の領域６２には３枚のシート材が積層され、第３の領域６３には６枚のシート材が積層されることとなり、幅方向外向から幅方向中央に向かって、段階的にシート材の積層数が増加している。第３の領域６３は第２の領域６２よりもシート材の積層数が３枚多く、少なくとも２枚以上多くなっている。
【００４４】
第１の領域６１及び第２の領域６２では、サイドシート１４と裏面シート１３とは第２の接着層４２により固定される。
図５に示すように、平面視したときにサイドシート１４の幅方向内側の側方部１７は吸収性コア２０と重なる。図２に示すように、サイドシート１４の幅方向内側の側方部１７と表面シート１２とは第３の接着層４３により固定されている。第３の領域６３は、接着層によりシート材が互いに固定されない非固定領域６４を有する。非固定領域６４は、第３の接着層４３によるサイドシート１４と表面シート１２との固定領域と第２の領域６２との間に位置する。
【００４５】
第１の領域６１の幅方向における寸法は、好ましくは２ｍｍ以上、更に好ましくは５ｍｍ以上であり、そして、好ましくは１５ｍｍ以下、好ましくは１０ｍｍ以下である。
第２の領域６２の幅方向における寸法は、好ましくは１ｍｍ以上、更に好ましくは２ｍｍ以上であり、そして、好ましくは１０ｍｍ以下、更に好ましくは５ｍｍ以下である。
第３の領域６３の幅方向における寸法は、好ましくは５ｍｍ以上、更に好ましくは８ｍｍ以上であり、そして、好ましくは２０ｍｍ以下、更に好ましくは１５ｍｍ以下である。
第３の領域６３は、第１の領域６１及び第２の領域６２よりも幅方向における寸法が大きいことが好ましい。
【００４６】
［本実施形態の作用、効果］
本実施形態において、中間コア部２２の幅が狭く全体的に括れ形状を有する吸収性コア２０が用いられるので、着用時、吸収体１１では、幅方向外側にある着用者の両脚から幅方向内側に向かう外力を受けると、典型的には、図２に示すように、括れ領域２２ｓに対応する吸収性コア２０が存在しない剛性の低い括れ領域が先に変形し、中間コア部２２が受ける幅方向の外力が低減される。
これにより、ナプキン１から着用者の鼠蹊部にかかる圧力が抑制され、鼠蹊部でのナプキン１の擦れが低減され、快適な使用感を着用者に与えることができる。また、中間コア部２２への幅方向の圧迫によるナプキン１の変形が抑制されるので、変形による液漏れの発生が抑制される。
【００４７】
また、本実施形態では、ナプキン１の前後方向で中間コア部２２を含む領域であって、本体Ｍの幅方向両側縁部５０から中間コア部２２の幅方向両側縁部５１までの領域では、吸収性コア２０は配置されず複数のシート材が配置される。吸収性コアが存在する領域は吸収性コアが存在しない領域よりも剛性が高く、着用時のナプキン１の幅方向内側に向かう外力は、相対的に剛性の低い吸収性コアが存在せずシート材が存在する領域で吸収又は緩衝される。従って、着用者の両脚からの幅方向の圧迫による中間コア部２２の変形が抑制される。
【００４８】
更に、本実施形態では、前後方向で中間コア部２２を含む領域において、本体Ｍの幅方向両側縁部５０から中間コア部２２の幅方向両側縁部５１に向かって、シート材の積層数が、少なくとも３段階で増加している。
これにより、ナプキン１の着用時に中間領域Ｍ２が受ける着用者の両脚からの幅方向内側に向かう外力は、シート材によって外側から中央に向かって段階的に吸収又は緩和される。これにより、ウイング部Ｗの基部Ｗａ付近で折り込まれて形成される折り端付近に着用者の肌側に向かって突出する突起部が生じにくく、突起部と肌との擦れを低減させることができる。
ここで、吸収性コアが存在する領域は吸収性コアが存在しない領域よりも剛性が高い。この吸収性コアの有無による剛性差により、着用時、ナプキン１に幅方向内側に向かう外力が加わった際、吸収性コアが存在しない領域では、ウイング部Ｗの折り端付近に突起部が生じやすい。そこで、本実施形態では、吸収性コアが存在しない本体Ｍの幅方向両側縁部５０から中間コア部２２の幅方向両側縁部５１に向かうまでの領域において、シート材の積層数が、少なくとも３段階で増加するようにシート材の積層数を調整し、剛性が段階的に高くなっていくようにしている。これにより、幅方向外側からの外力は段階的にシート材によって受け止められ、外力が局所的に集中することが抑制され、突起部の発生が抑制される。
【００４９】
また、本実施形態では、柔軟性の高いサイドシートを設けることで、歩行時や足を組んだ時などの様々な姿勢変化でのナプキン１と肌とが接する場面で、肌とナプキン１との擦れを抑制することができる。
【００５０】
また、第３の領域６３は、第２の領域６２よりもシート材の積層数が２枚以上多くなっている。これにより、吸収性コア２０に最も近い第３の領域６３にて、幅方向外側からの外力をより受け止めやすくなり、中間コア部２２への幅方向の圧迫によるナプキン１の変形がより抑制され、変形による鼠蹊部の擦れが一層抑制されるとともに、液漏れの発生が抑制される。
【００５１】
また、本実施形態においては、一対のサイドシート１４は前後方向に延在しているので、着用時、中間領域Ｍ２で、一対のサイドシート１４が受ける着用者の両脚から幅方向内側に向かう外力は、後方領域Ｍ１まで伝播する。
更に、平面視したときにサイドシート１４の幅方向内側の側方部１７は吸収性コア２０と重なっており、サイドシート１４と吸収性コア２０との幅方向における重なり幅が、中間コア部２２よりも後方コア部２３の方が大きくなっているので、サイドシート１４に加わる外力は後方コア部２３へ伝播しやすくなり、中間コア部２２の変形がより抑制され、中間コア部２２の変形による鼠蹊部の擦れが一層低減されるとともに、液漏れが抑制される。
【００５２】
また、本実施形態では、第３の領域６３は非固定領域６４を有する。非固定領域６３には接着層が配されないため、接着層が配される場合と比較して、非固定領域６４は剛性が低くなる。このように、吸収性コア２０に最も近い第３の領域６３に非固定領域６４が設けられることにより、幅方向外側からの外力が非固定領域６４によって吸収又は緩衝され、着用者の両脚からの幅方向の圧迫による中間コア部２２の変形がより抑制される。
【００５３】
また、本実施形態では、一対のサイドシート１４それぞれの幅方向内側の側縁部（折り返し部１５に相当。）は、表面シート１２に固定されない自由端１９となっている。このように自由端１９が設けられることにより、サイドシート１４の幅方向内側の側縁部は柔らかくなり、肌との擦れが低減され、着用者に対して柔らかい肌触り感を与える。
【００５４】
また、第３の領域６３は、第１の領域６１及び第２の領域６２よりも幅方向における寸法が大きくなっている。第１の領域６１及び第２の領域６２よりもシート材の積層数が多く剛性の高い第３の領域６３の幅寸法を他の領域６１及び６２よりも大きくすることで、第３の領域６３で外側からの外力が受け止められやすくなり、外力が吸収性コア２０に伝播することをより効果的に抑制することができる。
【００５５】
また、中間コア部２２の前後方向の両端部はそれぞれ、前方コア部２１、後方コア部２３それぞれに向けて幅が漸増する形状となるように、テーパ部２２ａ、２２ｂを有する。
ここで、中間コア部２２の幅が前後方向で均一な領域に幅方向に外力が加わることによって生じる中間コア部２２の圧縮変形に伴って、中間コア部２２の前後方向の両端部付近には、前後方向及び幅方向に成分を有する張力が付加される。
本実施形態では、前方コア部２１、後方コア部２３に向かって漸次幅が増加するようにテーパ部２２ａ、２２ｂを設けることにより、着用時の中間コア部２２の前後方向の両端部付近に付加される上述の張力の幅方向成分を少なくし、中間コア部２２に加わる外力を前後方向に伝播させやすくすることができる。これにより、着用時の幅方向の圧迫による中間コア部２２の前後方向の両端部付近の変形をより抑制することができ、ナプキン１から着用者の鼠蹊部にかかる圧力が抑制され、鼠蹊部での擦れを低減することができる。
【００５６】
更に、図３に示すように、括れ領域２２ｓに対応する吸収性コア２０が存在しない剛性の低い括れ領域が、コアラップシート３０で構成される括れ被覆部３４となっている。そして、括れ被覆部３４は、前方コア部２１及び後方コア部２３の間に架け渡されることで、中間コア部２２の両側縁部５１から括れ領域２２ｓに延出している。このため、着用時、吸収体１１では、幅方向外側にある着用者の両脚から幅方向内側に向かう強い外力を受けても、前方コア部２１及び後方コア部２３の剛性によって、括れ被覆部３４の予期せぬ変形が抑制可能となる。これによって、着用時の違和感を低減可能となる。
【００５７】
［補足説明］
上述の各構成における幅や坪量は以下の測定方法により測定することができる。
（吸収性コアの各部の寸法の測定方法）
吸収性コア部２０の各コア部の幅Ｄ１〜Ｄ３は、吸収性コアを水平に置き、マイクロスコープ（ＫＥＹＥＮＣＥ社製ＶＨＸ−１０００）により測定倍率を調整して肌対向面２０ａを拡大することで測定する。
また、第１〜第３の領域６１〜６３の幅は、中間コア部２２を通る幅方向に沿った仮想直線上に沿ってナプキン１を、フェザー社製片刃剃刀を用いて切断し、切断されたサンプルの断面を、マイクロスコープ（ＫＥＹＥＮＣＥ社製ＶＨＸ−１０００）により倍率を調整して拡大することで、測定する。
【００５８】
（吸収性コアの各部の坪量の測定方法）
測定対象である吸収性コア２０の各部を、フェザー社製片刃剃刀を用いて切断し、あらかじめ定めた面積となるように小片を得る。それらの小片の重量を電子天秤（Ａ＆Ｄ社製電子天秤ＧＲ−３００、精度：小数点以下４桁）を用いて測定する。求めた重量を各部の小片の面積で除して小片の坪量を算出する。各部のそれぞれについて、小片５個の坪量の平均を坪量とする。
【００５９】
以上、本発明の実施形態について説明したが、本発明は上述の実施形態にのみ限定されるものではなく、本発明の要旨を逸脱しない範囲内において種々変更を加え得ることは勿論である。
例えば上述の実施形態では、吸収性物品として生理用ナプキンの例を示したが、これに限定されない。本発明の吸収性物品は、例えば、失禁パットやおりものシート等であってもよい。
また、上述の実施形態においては、前後方向で中間コア部２２を含む領域において、本体Ｍの幅方向両側縁部５０から中間コア部２２の幅方向両側縁部５１に向かって、シート材の積層数が３段階で増加する例をあげたが、これに限定されず、４段階以上でもよい。一例として、上述の実施形態においては吸収体１１と表面シート１２の幅方向寸法を同一としていたが、表面シート１２の幅方向寸法を吸収体１１の幅方向寸法よりも長くする。そして、上述の第２の領域６２と第３の領域６３との間に、コアラップシート３０は配置されず、裏面シート１３と、表面シート１２と、サイドシート１４の２層構造の領域７２とが積層される領域が位置するように構成し、シート材の積層数が４段階で増加するようにしてもよい。この構成では、幅方向外方から幅方向中央に向かって、シート材の積層数が２、３、４、６となる。
【００６０】
また、上述した実施形態では、高坪量部２４が厚み方向Ｚの上側に突出していたが、これに代えて、図６に示すように、高坪量部２４が厚み方向Ｚの下側に突出する形態であってもよい。また、上述した実施形態では、吸収性コア２０に設けられた縦溝部２７、横溝部２８、周縁溝部２９及び境界溝６０，６１等の各種溝部が厚み方向Ｚ上側に開口を有していたが、これに代えて、図６に示すように、厚み方向Ｚ下側に開口を有する物であっても良い。
【符号の説明】
【００６１】
１…ナプキン（吸収性物品）
１２…表面シート（シート材）
１３…裏面シート（シート材）
１４…サイドシート（シート材）
２０…吸収性コア
２１…前方コア部
２２…中間コア部
２２ｓ…括れ領域
２３…後方コア部
３０…コアラップシート（シート材）
【図１】
2020036736.tif 000003
【図２】
2020036736.tif 000004
【図３】
2020036736.tif 000005
【図４】
2020036736.tif 000006
【図５】
2020036736.tif 000007
【図６】
2020036736.tif 000008